【手続補正書】
【提出日】平成27年11月2日(2015.11.2)
【手続補正１】
【補正対象書類名】特許請求の範囲
【補正対象項目名】全文
【補正方法】変更
【補正の内容】
【特許請求の範囲】
【請求項１】
少なくとも一つの太陽発電モジュールを表面に設置するための自己位置合せシステムであって、
スライド可能に取り付けられる複数の摩擦固定保持具と、締結具が設けられる複数の固定具と、をそれぞれ有する複数のレールと、
前記複数のレール間に連結され、前記複数のレールを互いに予め定められた離間間隔を空けて位置合せするように構成配置される折り畳み可能なセパレータと、を備え、
各摩擦固定保持具は、複数の前記レールのうちの一つのレールの一部に沿って横方向にスライドし、かつ、ユーザにより位置決めされた状態に保持されるように構成配置され、
各摩擦固定保持具は、更に、設置作業の間、少なくとも一つの太陽発電モジュールを把持し、かつ、位置調整可能となるように構成配置される自己位置合せシステム。
【請求項２】
前記複数の固定具は、締結具が設けられ、前記摩擦固定保持具とは反対側に延びる請求項１に記載の自己位置合せシステム。
【請求項３】
前記自己位置合せシステムは組み立てユニットであり、かつ、少なくとも一つの太陽発電モジュールを設置するための追加の自己位置合せシステムに接続されるように構成配置される請求項２に記載の自己位置合せシステム。
【請求項４】
前記複数の固定具及び前記複数のレールは、各固定具が縦方向及び横方向にスライドして位置調整可能となるようにそれぞれが（collectively）構成配置される請求項２に記載の自己位置合せシステム。
【請求項５】
各固定具は表面把持部を更に含む請求項２に記載の自己位置合せシステム。
【請求項６】
前記複数のレールは第１レールと第２レールであり、
前記第１レールは、前記第１レールの第１側部にスライド可能に取り付けられる複数の摩擦固定保持具と、締結具が設けられ、前記第１レールの前記第１側部とは反対側に延びる複数の固定具と、を有し、
前記第２レールは、前記第２レールの第１側部にスライド可能に取り付けられる複数の摩擦固定保持具と、締結具が設けられ、前記第２レールの前記第１側部とは反対側に延びる複数の固定具と、を有し、
各摩擦固定保持具は、複数の前記第１側部のうちの一つの第１側部の一部に沿って横方向にスライドし、かつ、ユーザにより位置決めされた状態に保持されるように構成配置される請求項１に記載の自己位置合せシステム。
【請求項７】
前記第１レールに取り付けられる複数の固定具において、各固定具は、前記第１レールの長手方向軸に沿って横方向にスライド可能に取り付けられ、
前記第２レールに取り付けられる複数の固定具において、各固定具は、前記第２レールの長手方向軸に沿って横方向にスライド可能に取り付けられる請求項６に記載の自己位置合せシステム。
【請求項８】
前記折り畳み可能なセパレータは、
一つ以上の太陽発電パネルを支持及び固定するために複数の前記レールを位置合せするとともに、前記複数の固定具を中心間隔で約１２インチ、約１６インチ又は約２４インチから選ばれる間隔を空けて設けるように構成配置される請求項２または６に記載の自己位置合せシステム。
【請求項９】
複数の前記レールのうちの少なくとも一つのレールはＬレール又はＣチャンネルレールである請求項２または６に記載の自己位置合せシステム。
【請求項１０】
各レールは、
第１面部に設けられる複数の第１孔と、
第１面部に対してほぼ垂直な第２面部に設けられる複数の第２孔とを有し、
前記複数の第１孔の各孔は、前記レールの長手方向軸に対して、複数の前記摩擦固定保持具のうちの少なくとも一つの摩擦固定保持具を横方向に位置調整可能となるように構成配置され、
前記複数の第２孔の各孔は、前記レールの長手方向軸に対して、複数の前記固定具のうちの少なくとも一つの固定具を横方向に位置調整可能となるように構成配置される請求項２または６に記載の自己位置合せシステム。
【請求項１１】
各固定具は、前記締結具とは反対側の当て部（pad）上に配置される表面把持部を更に含む請求項６に記載の自己位置合せシステム。
【請求項１２】
前記折り畳み可能なセパレータは少なくとも二つのクロスバーにより構成され、前記クロスバーは、前記複数のレールに対してほぼ平行な第１位置と、前記複数のレールに対してほぼ垂直な第２位置との間を回転するように構成配置される、
又は、
前記折り畳み可能なセパレータは、少なくとも一方向に広がる（extended）ときにロックするように構成配置される少なくとも一つのヒンジ体を含む請求項２または６に記載の自己位置合せシステム。
【請求項１３】
前記折り畳み可能なセパレータは、少なくとも第１位置に広がる（extended）ときにロックするように構成配置される少なくとも一つの伸縮ロッドを含む、
又は、
前記折り畳み可能なセパレータは、少なくとも一つの予め定められた長さをもつ、少なくとも一組のケーブルを含む請求項６に記載の自己位置合せシステム。
【請求項１４】
各太陽発電モジュールは、
全長と、
前記全長の約６０％の長さの中心部と、
前記全長の約２０％の長さの各末端部と、を有し、
前記折り畳み可能なセパレータは、前記複数のレールを少なくとも前記中心部の長さに間隔を空けて位置合せするように構成配置され、
必要に応じて、前記折り畳み可能なセパレータは、異なる長さの中心部を有する異なる太陽発電モジュールに対応できるように、複数の調整可能な予め定められた全長を有する請求項２または６に記載の自己位置合せシステム。
【請求項１５】
取り外し可能な複数の水用キャップを更に含み、
各水用キャップは、締結具が表面に固定されるときに、複数の固定具締結具のうちの一つの固定具締結具を覆うように構成配置される請求項２または６に記載の自己位置合せシステム。
【請求項１６】
表面に設置される前に自己位置合わせシステムに取付具が予め位置決めされることを特徴とする請求項２又は６に記載の自己位置合わせシステム。
【請求項１７】
各レールは、
複数の摩擦固定保持具を受け入れるように構成配置され、第１側部に沿って長い第１溝部と、
第２側部に沿って長い第２溝部と、を少なくとも有し、
前記第２溝部は、前記第１溝部に対してほぼ垂直であり、前記第２溝部は前記複数の固定具を受け入れるように構成配置される請求項２又は６に記載の自己位置合わせシステム。
【請求項１８】
前記折り畳み可能なセパレータは、折り畳まれたとき、少なくとも一つのレールから分離する請求項２又は６に記載の自己位置合わせシステム。
【請求項１９】
少なくとも一つの太陽発電モジュールを表面に設置するための自己位置合せシステムであって、
少なくとも一つの太陽発電モジュールを設置するための少なくとも二つの設置手段と、
前記設置手段を互いに予め定められた離間間隔を空けて位置合せするための折り畳み可能な位置合せ手段と、
前記設置手段を表面に固定するための固定手段と、
前記設置手段に沿ってユーザにより位置調整可能であり、かつ、少なくとも一つの太陽発電モジュールを保持可能である一方で、前記設置手段上に前記太陽発電モジュールを位置合せ可能である摩擦固定手段とを有する自己位置合せシステム。
【請求項２０】
少なくとも一つの太陽発電モジュールを表面に設置するための方法であって、
自己位置合せ台（self-aligning mount）を用意し、
前記自己位置合せ台は、
第１レールの第１側部にスライド可能に取り付けられる複数の摩擦固定保持具と、締結具が設けられ、前記第１レールの前記第１側部とは反対側に延びる複数の固定具と、を有し、前記複数の摩擦固定保持具は少なくとも第１摩擦固定保持部を含む第１レールと、
第２レールの第１側部にスライド可能に取り付けられる複数の摩擦固定保持具と、締結具が設けられ、前記第２レールの前記第１側部とは反対側に延びる複数の固定具と、を有し、前記第２レールの前記複数の摩擦固定保持具は前記第１レールの前記第１摩擦固定保持部に対応する少なくとも一つの第２摩擦固定保持部を含む第２レールと、
前記第１レール及び前記第２レールの間に連結され、前記第１レール及び前記第２レールを互いに予め定められた離間間隔を空けて位置合せするように構成配置される折り畳み可能なセパレータと、を備え、
各摩擦固定保持具は、複数の前記第１側部のうちの一つの第１側部の一部に沿って横方向にスライドし、かつ、ユーザにより位置決めされた状態に保持されるように構成配置され、
各摩擦固定保持具は、設置作業の間、少なくとも一つの太陽発電モジュールを把持し、かつ、位置調整可能となるように構成配置され、
前記第１レールを屋根上に配置し、前記第１レールの少なくとも一つの固定具を屋根に対して位置合せし、前記位置合せした固定具を前記締結具によりたるきに固定し、
前記第１レールに対して前記第２レールを位置合せ及び変位させるように、前記折り畳み可能なセパレータを前記予め定められた間隔に広げ、
前記第２レールの少なくとも一つの固定具を選択し、前記選択した固定具を屋根のたるきに対して位置合せし、前記第２レールの前記位置合せした固定具を前記締結具により前記たるきに固定し、
前記第１レールの前記第１摩擦固定保持具内と、前記第２レールの対応する前記第１摩擦固定保持具内とに、第１太陽発電モジュールの第１縁部を配置し、
必要であれば、前記太陽発電モジュールを位置合せするように位置調整し、
残りの前記固定具をたるきに固定し、前記第１太陽発電モジュールの前記第１縁部に結合されるように前記第１摩擦固定保持具を固定する方法。
【請求項２１】
前記第１摩擦固定保持具を固定する前に、前記第１レールの前記第１摩擦固定保持具内と、前記第２レールの対応する前記第１摩擦固定保持具内とに、前記第１太陽発電モジュールの向かい側において、第２太陽発電モジュールの第１縁部を配置する請求項２０に記載の方法。
【請求項２２】
取り外し可能な水用キャップを各締結具の上方に配置することを更に含む請求項２０に記載の方法。
【請求項２３】
前記第２レールを位置合せ及び変位させるように前記折り畳み可能なセパレータを広げる工程は、前記第１レールの少なくとも一つの固定具を前記屋根に対して位置合せして、前記位置合せした固定具を固定する前に行う、
又は、
前記第２レールを位置合せ及び変位させるように前記折り畳み可能なセパレータを広げる工程は、前記第１レールの少なくとも一つの固定具を前記屋根に対して位置合せして、前記位置合せした固定具を固定する後に行う請求項２０に記載の方法。
【請求項２４】
前記折り畳み可能なセパレータは少なくとも二つのクロスバーにより構成され、
前記クロスバーは、前記第１レール及び前記第２レールに対してほぼ平行な第１位置と、前記第１レール及び前記第２レールに対してほぼ垂直な第２位置との間を回転するように構成配置される請求項２０に記載の方法。
【請求項２５】
表面に設置される前に自己位置合せシステムに取付具が予め位置決めされることを特徴とする請求項２０に記載の方法。
【請求項２６】
複数の前記レールのうちの少なくとも一つのレールはＣチャンネルレールである請求項２０に記載の方法。
【請求項２７】
各レールは、
複数の摩擦固定保持具を受け入れるように構成配置され、第１側部に沿って長い第１溝部と、
第２側部に沿って長い第２溝部と、を少なくとも有し、
前記第２溝部は、前記第１溝部に対してほぼ垂直であり、前記第２溝部は前記複数の固定具を受け入れるように構成配置される請求項２０に記載の方法。
【請求項２８】
前記折り畳み可能なセパレータは、折り畳まれたとき、少なくとも一つのレールから分離する請求項２０に記載の方法。